(57)【要約】  【課題】  移送気体中に含有されている汚染物質等の被分解物質をより分解し易く、しかも、小型化を図ることが可能な気体処理装置を提供する。  【解決手段】  移送気体が流動する流路８内に移送気体と接触するように配置された光触媒５を備えるとともに、光触媒５と流路８内の移送気体とを照射光により照射する光源６とを備え、照射光が移送気体に含有される被分解物質を分解可能な光エネルギーを有し、照射光の照射で被分解物質が光触媒５により分解されるとともに照射光により直接分解されるようにした。【選択図】  図１
2005161136.tif 000002
【特許請求の範囲】
【請求項１】
移送気体が流動する流路内に前記移送気体と接触するように配置された光触媒を備えるとともに、該光触媒と前記流路内の前記移送気体とを照射光により照射する光源とを備え、前記照射光が前記移送気体に含有される被分解物質を分解可能な光エネルギーを有し、前記照射光の照射で前記被分解物質が前記光触媒により分解されるとともに該照射光により直接分解されることを特徴とする気体処理装置。
【請求項２】
前記光触媒が板状体からなり、該光触媒が前記光源からの照射光の照射方向に沿って複数略平行に配置されていることを特徴とする請求項１に記載の気体処理装置。
【請求項３】
前記移送気体の酸素濃度が３％以下であることを特徴とする請求項１又は２に記載の気体処理装置。
【請求項４】
前記移送気体が、前記被分解物質として有機物を含有していることを特徴とする請求項１乃至３の何れか一つに記載の気体処理装置。
【請求項５】
前記光触媒が、ＴｉＯ２、Ｎｂ２Ｏ５、Ｔａ２Ｏ５、及びＺｒＯ２からなる群から選ばれる一種又は二種以上の物質からなることを特徴とする請求項１乃至４の何れか一つに記載の気体処理装置。
【請求項６】
前記光触媒が、Ｋ４Ｎｂ６Ｏ１７、ＫＣａ２Ｎｂ３Ｏ１０、及びＫＳｒ２Ｎｂ３Ｏ１０からなる群から選ばれる一種又は二種以上の物質からなることを特徴とする請求項１乃至４の何れか一つに記載の気体処理装置。
【請求項７】
２５０ｎｍ以下の波長の紫外線が照射される光学系の筐体内に前記移送気体を供給するものであることを特徴とする請求項１乃至６の何れか一つに記載の気体処理装置。
【請求項８】
２５０ｎｍ以下の波長の紫外線が照射される光学系を有し、該光学系が筐体内に収容された露光装置であって、前記筐体に請求項１乃至６に記載の気体処理装置が連結されていることを特徴とする露光装置。
【発明の詳細な説明】
【技術分野】
【０００１】
この発明は、気体中に微量に含有されている汚染物質を分解することにより低分子化して排出する気体処理装置に係り、特に、光触媒に気体を接触するように配置して紫外線を照射することにより気体中の汚染物質を分解する気体処理装置及びそれを用いた露光装置に関する。
【背景技術】
【０００２】
半導体の高集積化に伴い、その製造のために重要な光リソグラフィー工程にて使用される投影露光装置は長足の進歩を遂げてきている。高集積化は、主に露光光の短波長化によるところが大きい。
【０００３】
近年では、２４８ｎｍの出力波長を持つ弗化クリプトンエキシマレーザ（ＫｒＦレーザ）が露光用光源として実用化され、更に近年では、１９３ｎｍの出力波長を持つ弗化アルゴンエキシマレーザ（ＡｒＦエキシマレーザ）を光源とする投影露光装置も実用化が進められている。
【０００４】
波長１２０ｎｍ〜２５０ｎｍ程度の光は、真空紫外域に属し、空気中を透過し難い。これは、空気中の酸素分子やＣＯ２分子などの物質により、光エネルギーが吸収されるためである。
【０００５】
ＡｒＦエキシマレーザも上記波長の範囲の光であるので、露光光路の空気に含まれる吸光物質が露光光を吸収するため、従来のような空気雰囲気では露光は困難である。そのため、露光光路内の空気を窒素や不活性ガス等で置換し、酸素分子やＣＯ２分子などの濃度を低下させて露光することが提案されている。
【０００６】
しかし、このようなＡｒＦエキシマレーザや、より短波長の光源を使用する投影露光装置でも、その照明光学系や投影光学系等の光学系の露光光路中に存在する汚染物質により露光光が吸収され、光学系の透過率が低下している。
【０００７】
この汚染物質は、露光装置の内部に起因する物質、露光光路に導入される不活性ガスに起因する物質、その他クリーンルーム内に存在する物質等が、ガス状態で光学系内に存在したり、或いは、固体や液体となって光学素子表面に付着した状態で存在している。
【０００８】
このような汚染物質の有機高分子を、光触媒を用いて分解する試みが近年なされている。例えば、投影露光装置等の光学系を筐体内に配置し、この筐体に導入される気体や筐体内の気体を光触媒に接触させ、汚染物質を光触媒により分解する装置などが提案されている（例えば、下記特許文献１、２参照）。
【０００９】
光触媒は、光エネルギーを受けると電子と正孔とを生じ、周囲の物質を分解する作用を示す物質である。通常、光触媒の電子と正孔を生じるのに要する光エネルギーは、汚染物質のバンドギャップ以上のエネルギーを有する波長の光によって供給される。そして、光触媒に光が照射されて生じた電子や正孔に、雰囲気中の酸素や水とが反応して活性酸素を生じ、この活性酸素により汚染物質が酸化分解され、最終的にＣＯ２と水とに分解される。
【００１０】
下記特許文献１では、酸素が充分にある雰囲気下で光触媒による有機物の分解を行うと、生成されたＣＯ２等により露光光の吸収が起こり、透過率が低下するため、低酸素含有雰囲気下で光触媒による汚染物質の分解が行なわれている。このようにすれば、有機物を低分子量の炭化水素等に分解することができ、ＣＯ２による露光光の吸収を防止することができる。
【００１１】
また、特許文献２では、酸素が存在する雰囲気下で光触媒による分解を行い、その後、ＣＯ２や水等の分解生成物を除去して露光装置に供給することが行われている。このようにすれば、露光装置の筐体内のＣＯ２濃度を抑えることができ、露光光の吸収を防止することが可能である。
【特許文献１】特開２００２−３１９５４０号公報
【特許文献２】特開２００３ー４５７８７号公報
【発明の開示】
【発明が解決しようとする課題】
【００１２】
従来の気体処理装置において、分子量が大きい物質や多重結合を含む高分子状物質を含む有機物を光触媒によって酸化分解すると、分解反応が遅くなったり、分解し難くなる傾向にある。しかも、ガス状の無機物質の酸化分解については、有機物より結合エネルギーが大きい分、より難しい傾向にある。そのため、分解反応速度が著しく低下し、移送気体が光触媒に接触するような装置では、汚染物質の分解反応を充分に行い難く、特に、移送気体中の汚染物質を充分に除去することができないという問題点があった。
【００１３】
また、低酸素雰囲気下で光触媒により汚染物質を分解すると、酸素や水が充分に存在する雰囲気下に比べて活性酸素種が生成され難く、光触媒による有機物や無機物の分解速度も遅くなる。充分な分解速度を確保するためには光触媒と気体との接触面積を大きくしなければならず、気体処理装置が大型化し易いという問題点があった。
【００１４】
そこで、本発明は、上記課題を解決するため、移送気体中に含有されている汚染物質等の被分解物質をより分解し易く、しかも、小型化を図ることが可能な気体処理装置を提供することを目的とする。
【課題を解決するための手段】
【００１５】
請求項１に記載の発明は、移送気体が流動する流路内に前記移送気体と接触するように配置された光触媒を備えるとともに、該光触媒と前記流路内の前記移送気体とを照射光により照射する光源とを備え、前記照射光が前記移送気体に含有される被分解物質を分解可能な光エネルギーを有し、前記照射光の照射で前記被分解物質が前記光触媒により分解されるとともに該照射光により直接分解されることを特徴とする。
【００１６】
請求項２に記載の発明は、請求項１に記載の構成に加え、前記光触媒が板状体からなり、該光触媒が前記光源からの照射光の照射方向に沿って複数略平行に配置されていることを特徴とする。
【００１７】
請求項３に記載の発明は、請求項１又は２に記載の構成に加え、前記移送気体の酸素濃度が３％以下であることを特徴とする。
【００１８】
請求項４に記載の発明は、請求項１乃至３の何れか一つに記載の構成に加え、前記移送気体が、前記被分解物質として有機物を含有していることを特徴とする。
【００１９】
請求項５に記載の発明は、請求項１乃至４の何れか一つに記載の構成に加え、前記光触媒が、ＴｉＯ２、Ｎｂ２Ｏ５、Ｔａ２Ｏ５、及びＺｒＯ２からなる群から選ばれる一種又は二種以上からなることを特徴とする。
【００２０】
請求項６に記載の発明は、請求項１乃至５の何れか一つに記載の構成に加え、前記光触媒が、Ｋ４Ｎｂ６Ｏ１７、ＫＣａ２Ｎｂ３Ｏ１０、及びＫＳｒ２Ｎｂ３Ｏ１０からなる群から選ばれる一種又は二種以上からなることを特徴とする。
【００２１】
請求項７に記載の発明は、請求項１乃至６の何れか一つに記載の構成に加え、２５０ｎｍ以下の波長の紫外線が使用される露光装置の筐体に前記移送気体を供給するものであることを特徴とする。
【００２２】
請求項８に記載の露光装置は、２５０ｎｍ以下の波長の紫外線が照射される光学系を有し、該光学系が筐体内に収容され、該筐体内が減圧状態とされた露光装置であって、前記筐体に導入される移送気体が請求項１乃至６に記載の気体処理装置を経由するように構成されていることを特徴とする。
【発明の効果】
【００２３】
請求項１乃７の何れか一つに記載の発明によれば、光触媒と移送気体とを照射する照射光の光エネルギーが、移送気体に含有される被分解物質を分解するのに必要なエネルギーよりも大きいので、光源からの照射光を照射することにより、光触媒の分解作用で移送気体中の被分解物質を分解することができるとともに、照射光の光エネルギーによる分解作用でも被分解物質を直接分解することができ、光触媒と照射光の分解作用の両方を組合わせてハイブリッド化することができる。そのため、移送気体中の被分解物質を効率よく分解することができ、また、照射光により被分解物質を分解できる分、光触媒の移送気体との接触面積を少なくして、気体処理装置の小型化を図ることが可能である。
【００２４】
請求項２に記載の発明によれば、板状体からなる光触媒が照射光の照射方向に沿って複数略平行に配置されているので、照射光の照射方向により長い流路を形成することができ、移送気体と触媒とが接触する時間を長くできるとともに、移送気体を直接照射する時間を長くすることができる。そのため、より効率よく被分解物質を分解することができるとともに、気体処理装置の小型化を図ることが可能である。
【００２５】
請求項３に記載の発明によれば、移送気体の酸素濃度が３％以下であるので、有機物等の被分解物質を分解しても二酸化炭素や水を生成し難い。しかも、酸素濃度が低くて光触媒による被分解物質の分解速度が遅くても、被分解物質を照射光により直接分解することができるので、気体処理装置全体として被分解物質を効率よく分解することができる。
【００２６】
請求項７に記載の発明によれば、２５０ｎｍ以下の波長の紫外線が照射される光学系の筐体内に、被分解物質が分解された移送気体を供給するので、移送気体中の２５０ｎｍ以下の光を吸収する物質を少なくすることができ、高い透過率を有する光学系を形成することが可能である。
【００２７】
請求項８に記載の発明によれば、筐体に請求項１乃至６に記載の気体処理装置が連結されているので、筐体内に供給される移送気体中の被分解物質を気体処理装置により分解除去することができ、そのため被分解物質による露光光の吸収を防止することができ、高い露光光の透過率を有する露光装置を提供することができる。
【発明を実施するための最良の形態】
【００２８】
以下、この発明の実施の形態について説明する。
【００２９】
図１及び図２はこの実施の形態の気体処理装置及びそれを装着した露光装置を示す。
【００３０】
図において、符号１は気体処理装置であり、図２に示すような２５０ｎｍ以下の波長の光を露光光として使用する露光装置１０の一部として設けられており、照明光学系１２及び投影光学系１３とを収容する筐体１０ａに、移送気体としての窒素ガスを窒素ガスボンベ２０から供給する供給経路に配置されている。この気体処理装置１は、筐体１０ａ内の気体が循環されるように連結されていてもよい。
【００３１】
このような装置では、窒素ガスには被分解物質としての汚染物質が微量に含有されている。汚染物質は、有機物や無機物のガスなどであり、例えば、フタル酸類、シロキサン類、アンモニア類等が挙げられる。特に、この窒素ガスボンベ２０からの窒素ガスには、光触媒により分解し難いアンモニアも微量に含有されている。このような汚染物質は、筐体１０ａ内の雰囲気中に微量に存在すると、前述のように、露光光が汚染物質に吸収されて透過率が低減する。そのため、この汚染物質を分解する気体処理装置１が設けられている。
【００３２】
気体処理装置１は、窒素ガスボンベ２０に連結された導入路３ａ及び筐体１０ａに連結された排出路３ｂとが設けられた気密な外筒３と、この外筒３内に配置された複数の板状光触媒５と、外筒３の一方の側面側に沿って配置された光源６とを有している。外筒３の光源６側の１側面全体には、光源６からの照射光が透過可能な材料からなる窓部材７が配置されている。
【００３３】
外筒３の内部には、複数の板状光触媒５が所定間隔で互いに離間した状態で略平行に配設されている。ここでは、隣接する板状光触媒５を窓部材７の内壁７ａ側と窓部材７に対向する内壁３ａ側とに交互にずらして配置することにより、ジグザグ形状の流路８が形成されており、流路８を流動する窒素ガスは、各板状光触媒５の板状面５ａに順次接触できるようになっている。
【００３４】
更に、これらの複数の板状光触媒５は、窓部材７を透過して入射する光源６からの照射光の照射方向に沿って互いに略平行に配置されており、照射光が板状光触媒５の板状面５ａを広い範囲で照射でき、同時に、各板状光触媒５間の流路８内を流動する窒素ガスを直接照射できるようになっている。なお、光源６からの照射光が散乱光の場合には、各板状光触媒５の配置は、各板状光触媒５間に照射光を直接入射可能にすればよい。
【００３５】
板状光触媒５としては、光源６からの照射光により励起されて、汚染物質の少なくとも一部を分解できる分解作用が得られる物質を用いることができ、例えば、ＴｉＯ２、Ｎｂ２Ｏ５、Ｔａ２Ｏ５、及びＺｒＯ２からなる群から選ばれる一種又は二種以上の物質からなるものを用いることができる。
【００３６】
また、板状光触媒５として、Ｋ４Ｎｂ６Ｏ１７、ＫＣａ２Ｎｂ３Ｏ１０、及びＫＳｒ２Ｎｂ３Ｏ１０からなる群から選ばれる一種又は二種以上の物質からなるものを用いれば、板状光触媒５が層構造を有するため、各層間の一部でも分解作用を発現することができ、より効率的に分解反応を進めることができる。
【００３７】
この板状光触媒５の構造は、板状体の表面に前記のような光触媒となる光活性を有する物質が存在していればよく、この実施の形態では、石英板の表面に光活性を有する物質を付着させて板状体に形成したものである。
【００３８】
一方、板状光触媒５を照射する光源６は、前記のような板状光触媒５を励起させ、正孔とホールとを形成することが可能な照射光を照射可能なものを用いる。
【００３９】
特に、この発明では、照射光として、窒素ガス中に含有されている汚染物質を分解することが可能な光エネルギーを有する光を使用している。即ち、汚染物質の分子中、解離により低分子化可能な結合部位の少なくとも一つを解離することができる光エネルギーを有する光であり、該結合部位の結合エネルギー以上の光エネルギーを有する必要がある。
【００４０】
このような照射光として、例えば、水銀灯、ＫｒＦエキシマレーザ、ＡｒＦエキシマレーザ、窒素レーザ等の紫外光レーザ、エキシマランプ等の紫外線発生ランプ、半導体発光素子、半導体レーザなどを適宜選択して、前記のような光エネルギーが得られる強度で用いることができる。
【００４１】
いずれの光源も、板状光触媒５の種類に関係なく、使用することができる。
【００４２】
そして、このような照射光が光源６から外筒３の内部に入射されると、板状光触媒５が照射されて、板状光触媒５の分解作用が得られるとともに、窒素ガス中の汚染物質が直接照射されて、照射光の光エネルギーにより直接分解される作用が得られる。
【００４３】
このような構成を有する気体処理装置１によれば、板状光触媒５と移送気体とを照射する照射光の光エネルギーが、移送気体に含有される汚染物質を分解するのに必要なエネルギーよりも大きいので、光源６からの照射光を照射することにより、板状光触媒５の分解作用で移送気体中の汚染物質を分解することができるとともに、照射光の光エネルギーによる分解作用でも汚染物質を直接分解することができ、板状光触媒５と光源６からの照射光の分解作用の両方を組合わせてハイブリッド化することができる。
【００４４】
そのため、移送気体中の汚染物質を効率よく分解することができる。また、照射光により汚染物質を分解できる分、板状光触媒５の移送気体との接触面積を少なくすることができて、気体処理装置１の小型化を図ることが可能である。
【００４５】
また、板状光触媒５が照射光の照射方向に沿って略平行に配置されているので、流路８を照射光の照射方向により長く形成することができ、窒素ガスと板状光触媒５とが接触する時間を長くできるとともに、窒素ガスを直接照射する時間を長くすることができる。そのため、より効率よく汚染物質を分解することができるとともに、気体処理装置１の小型化を図ることが可能である。
【００４６】
さらに、移送気体が低酸素濃度であるので、有機物等の被分解物質を分解しても二酸化炭素や水を生成し難い。一方、低酸素濃度であるので、板状光触媒５による汚染物質の分解速度が遅いが、汚染物質を照射光により直接分解することができるので、気体処理装置１全体として効率よく分解することができる。
【００４７】
また、移送気体の窒素ガス中に板状光触媒５の分解作用により分解することができないアンモニアが含有されていても、照射光の光エネルギーによりアンモニアを直接分解することができるため、窒素ガス中に含有されているアンモニアを除去することが可能である。
【００４８】
次に、このような気体処理装置１が設けられた露光装置１０について説明する。この露光装置１０は、少なくともエキシマレーザ等の真空紫外域の光を露光光として供給するための光源１１、この露光光をマスクＲに供給するための照明光学系１２、マスクＲのパターンのイメージを被露光基板Ｗ上に投影するための投影光学系１３を含んでいる。
【００４９】
照明光学系１２は、マスクＲと被露光基板Ｗとの間の相対位置を調節するためのアライメント光学系１４を含んでいる。マスクＲは、マスク交換系１５により位置が制御されるマスクステージ１６に配置されている。被露光基板Ｗは、ステージ制御系１７により位置が制御されるウェハーステージ１８に配置されている。更に、光源１１、アライメント光学系１４、マスク交換系１５、ステージ制御系１７は、主制御部１９によって制御されている。
【００５０】
この実施の形態の露光装置１０は、２５０ｎｍ以下の波長の紫外線が露光光として使用されているため、照明光学系１２及び投影光学系１３を収容する筐体１０ａ内の気体によっても、露光光の吸収が起こる。そのため、筐体１０ａ内に供給される気体は、酸素濃度が３％以下であるのが好ましく、ここでは、窒素ガスボンベ２０から供給される窒素ガスが用いられている。特に、好ましくは、窒素ガスで置換後、減圧することにより、筐体１０ａ内部の圧力をできるだけ低減した状態で使用されるのが好適である。
【００５１】
そして、この露光装置１０では、筐体１０ａに供給される窒素ガスを気体処理装置１により処理している。ここでは、窒素ガスボンベ２０からの窒素ガスや筐体１０ａ内からの循環ガスを、導入路３ａにより流路８内に導入している。
【００５２】
さらに、このような気体処理装置１を有する露光装置１０によれば、筐体１０ａ内に供給される移送気体中の汚染物質が分解除去することができるため、汚染物質による露光光の吸収を防止することができ、高い露光光の透過率が得られる。
【００５３】
なお、上記の実施の形態では、低酸素濃度含有雰囲気において、汚染物質を分解する例について説明したが、低酸素濃度含有雰囲気よりも酸素濃度が高い雰囲気下で分解するようにしてもよい。その場合、気体処理装置１の排出路３ｂにより筐体１０ａに供給される移送気体から、酸素や汚染物質を分解することにより生じる分解生成物を吸着する手段を配置すればよい。そのような吸着手段としては、例えば、活性炭、ゼオライト、シリカゲル等の吸着材を配置するものであってもよい。
【００５４】
また、上記では、移送気体として窒素ガスの例を説明したが、他のガスであってもよく、ヘリウム等の不活性ガスなどを処理することも可能である。
【実施例１】
【００５５】
図１に示すような気体処理装置１に移送気体を流動させて、汚染物質の分解実験を行った。
【００５６】
気体処理装置１は、板状光触媒５としてＴｉＯ２を表面に付着させた石英板を用い、密閉可能なステンレススチール製の外筒３の内部に設置した。光源６として水銀ランプを用い、合成石英ガラス製の窓部材７を通して、板状光触媒５の板状面５ａ及び流路８を照射するように外筒３の上部に設置した。また、排出路３ｂから排出される移送気体が導入路３ａに循環されるように循環システムに接続し、移送気体を内部に流通、循環させた。
【００５７】
この気体処理装置１に窒素で希釈した濃度１０ｐｐｍのアンモニアガスを流動させ、紫外線（３６５ｎｍ）を照射した。
【００５８】
その結果、分解生成物である水素の生成が確認された。水素の生成速度は５×１０−８ｍｏｌ／ｈであった。
【００５９】
また、板状光触媒５がない状態で紫外線（３６５ｎｍ）のみを照射すると、水素が生成されず、分解は確認されなかった。即ち、３６５ｎｍの波長の光を直接照射してもアンモニアは分解しなかった。
【００６０】
更に、波長２５４ｎｍの紫外線を照射すると、板状光触媒５がない状態でもアンモニアが分解されることが確認された。そのときの水素の生成速度は５×１０−７ｍｏｌ／ｈであった。
【００６１】
以上の結果から、板状光触媒５だけでは分解効率が低い物質でも、波長２５４ｎｍの紫外線を用いれば、紫外線により直接分解することができる。そのため、紫外線の波長を２５４ｎｍ以下にすれば、板状光触媒５による分解作用とともに、紫外線により直接分解する作用が得られ、より効率的に分解反応を促進することができる。
【００６２】
このとき、２５４ｎｍの紫外線の光エネルギーが４．８ｅＶであるのに対し、アンモニア中のＮ−Ｈの結合エネルギーが４ｅＶであるため、紫外線の光エネルギーが結合エネルギーより大きくなっており、その結果、Ｎ−Ｈ結合が解離して分解されていることが分かる。
【実施例２】
【００６３】
汚染物質としてギ酸を用い、その濃度を１０ｐｐｍにする他は実施例１と同様にして、紫外線ランプ（波長３６５ｎｍ）を照射し、汚染物質の分解実験を行った。
【００６４】
その結果、分解生成物である二酸化炭素の生成が確認された。この二酸化炭素の生成速度は１．４×１０−６ｍｏｌ／ｈであった。
【００６５】
また、板状光触媒５がない状態で紫外線ランプ（波長３６５ｎｍ）を照射したときには、二酸化炭素の生成速度は２×１０−７ｍｏｌ／ｈであった。
【００６６】
従って、ギ酸は波長３６５ｎｍの紫外線だけでも分解するが、板状光触媒５を存在させると、より活性が高くなった。
【００６７】
一方、波長２５４ｎｍの紫外線を照射すると、波長３６５ｎｍの紫外線のときと同様に、板状光触媒なしで紫外線だけを照射することによりギ酸が分解されることが確認された。このときの二酸化炭素の生成速度は２×１０−５ｍｏｌ／ｈであった。
【００６８】
この結果から、紫外線の波長を２５４ｎｍにすれば、紫外線のみによる分解効率が約１００倍上昇した。板状光触媒のみでは、分解効率が低い物質でも、紫外線の波長を２５４ｎｍにすれば、紫外線による分解効果を利用でき、より効率的に分解反応が進むことが確認された。
【００６９】
このとき、２５４ｎｍの紫外線の光エネルギーが４．８ｅＶであるのに対し、ギ酸中のＣ−Ｈの結合エネルギーが４．３ｅＶであり、Ｏ−Ｈの結合エネルギーが４．７５ｅＶであるため、紫外線の光エネルギーが結合エネルギーより大きく、その結果、結合が解離して分解されとことが分かる。
【図面の簡単な説明】
【００７０】
【図１】この発明の実施の形態の気体処理装置を示す断面図である。
【図２】この発明の実施の形態の気体処理装置が装着された露光装置の基本構造を示す図である。
【符号の説明】
【００７１】
１  気体処理装置
５  板状光触媒
６  光源
７  窓部材
８  流路
１０  露光装置
１２  照明光学系
１３  投影光学系
２０  窒素ガスボンベ
【図１】
2005161136.tif 000003
【図２】
2005161136.tif 000004